(57)【特許請求の範囲】
【請求項１】
待受け中にスクリーンに表示する画面を選択することができる携帯電話機における複合スクリーン画面設定方法であって、
スクリーン画面選択モードに設定するステップと、
スクリーン画面選択モードにおいて複数の画面の中から前景画面と背景画面とが選択されるステップと、
待受け中に、選択された前記前景画面と前記背景画面とを重ねて複合スクリーン画面として表示するステップと、を有し、
前記複合スクリーン画面として表示するステップは、前記背景画面の画像データを表示するに際して、画面に少なくとも遠景エリア、中景エリア、近景エリアのいずれか二以上のエリアを設けて、該エリア毎に任意の画像を選択して該エリア毎に複数の画像を重ね合わせて複合スクリーン画面を設定する
ことを特徴とする携帯電話機における複合スクリーン画面設定方法。
【請求項２】
待受け中にスクリーンに表示する画面を選択することができる携帯電話機における複合スクリーン画面設定方法であって、
スクリーン画面選択モードに設定するステップと、
スクリーン画面選択モードにおいて複数の画面の中から前景画面と背景画面とが選択されるステップと、
待受け中に、選択された前記前景画面と前記背景画面とを重ねて複合スクリーン画面として表示するステップと、を有し、
前記複合スクリーン画面として表示するステップは、スクリーンの表示エリアを分割して、分割した表示エリアのうち少なくともいずれか二以上のエリアに任意の画像を選択して該エリア毎に複数の画像を重ね合わせて複合スクリーン画面を設定する
ことを特徴とする携帯電話機における複合スクリーン画面設定方法。
【請求項３】
待受け中にスクリーンに表示する画面を選択することができる携帯電話機において、
スクリーンと、操作部と、制御部と、を有し、
前記制御部は、前記操作部の操作により、スクリーン画面選択モードに設定され、複数の画面の中から前景画面と背景画面とが選択され、待受け中に前記スクリーンに、選択された前記前景画面と前記背景画面とを重ねて複合スクリーン画面として表示するものであって、前記背景画面の画像データを表示するに際して、画面に少なくとも遠景エリア、中景エリア、近景エリアのいずれか二以上のエリアを設けて、該エリア毎に任意の画像を選択して該エリア毎に複数の画像を重ね合わせて複合スクリーン画面を設定する
ことを特徴とする携帯電話機。
【請求項４】
待受け中にスクリーンに表示する画面を選択することができる携帯電話機において、
スクリーンと、操作部と、制御部と、を有し、
前記制御部は、前記操作部の操作により、スクリーン画面選択モードに設定され、複数の画面の中から前景画面と背景画面とが選択され、待受け中に前記スクリーンに、選択された前記前景画面と前記背景画面とを重ねて複合スクリーン画面として表示するものであって、前記スクリーンの表示エリアを分割して、分割した表示エリアのうち少なくともいずれか二以上のエリアに任意の画像を選択して該エリア毎に複数の画像を重ね合わせて複合スクリーン画面を設定する
ことを特徴とする携帯電話機。
【発明の詳細な説明】
【０００１】
【発明の属する技術分野】
本発明は、非音声情報通信モード（例えばｉモード（登録商標、以下同じ））機能を有する携帯電話機における複合スクリーン画面設定方法及び該複合スクリーン画面設定方法を用いる携帯電話機に関し、特に複数の画面の中から前景画面と背景画面とを選び、それを重ねて複合スクリーン画面として表示できるよう構成したものである。なお、非音声情報通信モードとは、デジタル携帯電話機を使用したオンラインデータサービスの動作モードのことで、センターに登録されているサイト（番組）接続サービスや、インターネット接続サービス、メッセージサービス、ｉモードメールなどが利用できるものである。
【０００２】
【従来の技術】
従来、非音声情報通信モード（例えばｉモード）機能を有する携帯電話装置においては、待受け時に単一の画面をスクリーン画面として表示しうるものが知られている。
【０００３】
しかしながら単一の画面であると、ユーザはスクリーン画面に見ていても面白みに欠け、画面を見飽きてしまうという問題点があった。
【０００４】
【発明が解決しようとする課題】
本発明は、このような問題点を解決するためになされたもので、複数の画面の中から前景画面と背景画面とを選び、それを重ねて複合スクリーン画面として表示できる携帯電話機における複合スクリーン画面設定方法及び該複合スクリーン画面設定方法を用いる携帯電話機を提供することを目的とするものである。
【０００５】
【課題を解決するための手段】
本発明の請求項１記載の発明は、待受け中にスクリーンに表示する画面を選択することができる携帯電話機における複合スクリーン画面設定方法であって、スクリーン画面選択モードに設定するステップと、スクリーン画面選択モードにおいて複数の画面の中から前景画面と背景画面とが選択されるステップと、待受け中に、選択された前記前景画面と前記背景画面とを重ねて複合スクリーン画面として表示するステップと、を有し、前記複合スクリーン画面として表示するステップは、前記背景画面の画像データを表示するに際して、画面に少なくとも遠景エリア、中景エリア、近景エリアのいずれか二以上のエリアを設けて、該エリア毎に任意の画像を選択して該エリア毎に複数の画像を重ね合わせて複合スクリーン画面を設定することを特徴とする携帯電話機における複合スクリーン画面設定方法としたものである。この構成により、ユーザは複数の画面から前景画面と背景画面を選べるので、飽きがこないスクリーン画面とすることができる。
【０００６】
また請求項２記載の発明は、待受け中にスクリーンに表示する画面を選択することができる携帯電話機における複合スクリーン画面設定方法であって、スクリーン画面選択モードに設定するステップと、スクリーン画面選択モードにおいて複数の画面の中から前景画面と背景画面とが選択されるステップと、待受け中に、選択された前記前景画面と前記背景画面とを重ねて複合スクリーン画面として表示するステップと、を有し、前記複合スクリーン画面として表示するステップは、スクリーンの表示エリアを分割して、分割した表示エリアのうち少なくともいずれか二以上のエリアに任意の画像を選択して該エリア毎に複数の画像を重ね合わせて複合スクリーン画面を設定することを特徴とする携帯電話機における複合スクリーン画面設定方法としたものである。この構成により、ユーザは複数の画面から前景画面と背景画面を選べるので、飽きがこないスクリーン画面とすることができる。
【０００７】
また請求項３記載の発明は、待受け中にスクリーンに表示する画面を選択することができる携帯電話機において、スクリーンと、操作部と、制御部と、を有し、前記制御部は、前記操作部の操作により、スクリーン画面選択モードに設定され、複数の画面の中から前景画面と背景画面とが選択され、待受け中に前記スクリーンに、選択された前記前景画面と前記背景画面とを重ねて複合スクリーン画面として表示するものであって、前記背景画面の画像データを表示するに際して、画面に少なくとも遠景エリア、中景エリア、近景エリアのいずれか二以上のエリアを設けて、該エリア毎に任意の画像を選択して該エリア毎に複数の画像を重ね合わせて複合スクリーン画面を設定することを特徴とする携帯電話機としたものである。この構成により、ユーザは複数の画面から前景画面と背景画面を選べるので、飽きがこないスクリーン画面とすることができる。
【０００８】
また請求項４記載の発明は、待受け中にスクリーンに表示する画面を選択することができる携帯電話機において、スクリーンと、操作部と、制御部と、を有し、前記制御部は、前記操作部の操作により、スクリーン画面選択モードに設定され、複数の画面の中から前景画面と背景画面とが選択され、待受け中に前記スクリーンに、選択された前記前景画面と前記背景画面とを重ねて複合スクリーン画面として表示するものであって、前記スクリーンの表示エリアを分割して、分割した表示エリアのうち少なくともいずれか二以上のエリアに任意の画像を選択して該エリア毎に複数の画像を重ね合わせて複合スクリーン画面を設定することを特徴とする携帯電話機としたものである。この構成により、ユーザは複数の画面から前景画面と背景画面を選べるので、飽きがこないスクリーン画面とすることができる。
【００１２】
【発明の実施の形態】
以下、本発明の実施の形態について、図１から図５を用いて説明する。
【００１３】
図１は、本発明の実施の形態に係る非音声情報通信モード（例えばｉモード）機能を備える携帯電話機の構造を示す概略図である。図１において本発明の実施の形態に係る携帯電話機は、アンテナ１と、着信／充電ランプ２と、受話器３と、液晶表示器４と、電話帳ボタンを兼ねる左ソフトキー５と、通話開始ボタン６と、テンキー又はダイヤルキー７と、非音声情報通信動作モードにワープさせるワープキー８と、送話器９と、外部接続端子10と、ボイス／マナーキー11と、電源／終了／応答保留キー12と、リダイヤル／クリアボタンを兼ねる右ソフトキー13と、スクロール機能を兼ねて上下左右の各方向に表示を選択することができ、中心のボタンを押すことにより選択決定を行なうナビゲーションキー14と、イヤホンマイク端子15と、赤外線ポート16とを備えるようにしてある。
図２は上記構成の携帯電話機を実現するための回路ブロックを示すものである。図２において携帯電話機は、アンテナ１で受信した電波は無線通信部18の受信部（図示せず）で受けて、受信情報を制御部20に伝える。制御部20は受信した電話番号などの受信情報を液晶表示装置などの表示部４に表示する。
【００１４】
また制御部20は受信情報を音声情報に変換して受話部のスピーカ（受話器）３で音声出力する。また送話器（マイク）９は利用者の音声を受けて制御部20に伝え、無線通信部18の送信部（図示せず）とアンテナ１により通話相手先に無線送信する。制御部20はメモリ26に通話中の通話内容などの音声情報を記憶させ、あるいは記憶してある情報を読み出すようにしている。テンキー操作部22はテンキー７の操作によってダイヤル信号などを制御部20に入力し、またテンキー以外の機能キー操作部24は操作された機能キー、例えばナビゲーションキー14の操作を制御部20に入力するものである。また、赤外線入出力部28は赤外線ポート16を介して赤外線信号のやり取りを行なう。
【００１５】
またメモリ26には予め登録したスクリーン画面データ又はサイト又はＵＲＬからダウンロードした画像データを記憶するようにしている。そしてスクリーン画面選択モードにおいて、機能キー操作部24又はテンキー操作部22を操作して複数の画面の中から前景画面と背景画面を選択した場合に制御部20は複合スクリーン画面として表示できるようにしている。これらの回路ブロックは、図１の筺体内に収納されている。
【００１６】
図３は上記構成の携帯電話機の表示部において、待受け時に表示されるアイコン画面の例を示している。この例においては、十字型にアイコン画面が表示されるようになっており、上から時計廻りにｉモードメインアイコン、ｉモードメールアイコン、電話帳アイコン、スクリーンアイコン、そして真中にメニューアイコンがそれぞれ表示され、選択されたアイコン画面が拡大表示されて、現在どのアイコン画面が選択されているかが分かるようになっている。
【００１７】
図４は本発明の実施形態を説明するための携帯電話機の表示画面の遷移を示すものである。電源キー12を操作して非音声情報通信モード（例えば、ｉモード）機能を有する携帯電話機を待受け状態にする。そして待受け状態にあるときにアイコン画面の中から「スクリーン」を選択すると、図４(ａ)のように選択されたアイコンが拡大表示される。ここで、ナビキー14の決定キーを押すことで、図４(ｂ)のように「スクリーン一覧画面」が表示され、更に、ナビキー14の上方向又は下方向のスクロールキーを押すことで「スクリーン選択」を選択して、ナビキー14の決定キーを押すことにより「スクリーン選択」の機能選択を確定する。こうすることにより図４(ｃ)のようにスクリーン選択ができるスクリーン画面がジャンル別に表示される。
【００１８】
ここでユーザが前記ジャンル内の「イラスト」画像データを選択すれば、スクリーン画面には、例えば図４(ｄ)に示されるような「イラスト」画面が表示されるし、またユーザが前記ジャンルの内の「イラスト＋時計」画像データを選択すれば、スクリーン画面には、例えば図４(ｅ)に示されるような「イラスト＋時計」画面が表示される。
【００１９】
ユーザがスクリーン画面としてジャンルの内の「イラスト＋時計」画像データを選択した場合には、「イラスト」画像データが「背景画面」に、また「時計」画像データが「前景画面」になり、図４(ｆ)のような複数の画面が重なって表示、すなわち複合スクリーン画面が表示される。
【００２０】
この場合において、「前景画面」画像データを目立たせるようにするために「背景画面」画像データの階調を１階調落として重ね表示するようにし、さらに「前景画面」及び「背景画面」の各画像データは、複数種類の中からユーザが好みのものを選択することができるようになっている。
【００２１】
なお、上記において画像データの取得については説明していないが、予め内蔵されている画像データを利用することも、また、サイト又はＵＲＬ（Uniform Resource Locator）からダウンロードした画像データであっても良い。
【００２２】
また前記のサイト又はＵＲＬ（Uniform Resource Locator）からダウンロードしうる画像データとしては、ＧＩＦ形式（Graphics Interchange Format）の画像が用いられるものである。これは携帯電話機という小型、軽量化した情報端末において画像メモリとして大容量のメモリを使用することができないためである。
【００２３】
図５は上記した複合スクリーン画面を設定するための動作を説明するためのフローチャートである。
【００２４】
図５においてアイコン画面「スクリーン」を選択する（ステップ51）。次ぎに、ナビキーの決定キーを押すことによってスクリーン一覧画面を表示させる（ステップ52）。
【００２５】
次に、ユーザが複合スクリーン画面に変えるための「スクリーン選択」を選んだかどうかを判定する（ステップ53）。「スクリーン選択」を選んだ場合には、登録されているスクリーン画面のリストから複合スクリーン、例えば「時計＋イラスト」画像データを選択する（ステップ54）。そして、「イラスト」画像データを背景画面とし、「時計」画像データを前景画面とするように選んで、複合スクリーン画面を設定する（ステップ55）。ステップ53で「スクリーン選択」を選ばなければ、現在のままのスクリーン画面が継続される（ステップ56）。
【００２６】
なお上記した実施の形態では、複数の画像を前景と背景という重ね合わせる複合スクリーン画面設定の例を示したが、表示部４の表示エリアを、例えば遠景エリア、中景エリア、近景エリアというように分割しておき、各エリアに任意に画像を配置するようにしても良い。
【００２７】
【発明の効果】
以上説明したように本発明の請求項１記載の発明は、待受け中にスクリーンに表示する画面を選択することができる携帯電話機における複合スクリーン画面設定方法であって、スクリーン画面選択モードに設定するステップと、スクリーン画面選択モードにおいて複数の画面の中から前景画面と背景画面とが選択されるステップと、待受け中に、選択された前記前景画面と前記背景画面とを重ねて複合スクリーン画面として表示するステップと、を有し、前記複合スクリーン画面として表示するステップは、前記背景画面の画像データを表示するに際して、画面に少なくとも遠景エリア、中景エリア、近景エリアのいずれか二以上のエリアを設けて、該エリア毎に任意の画像を選択して該エリア毎に複数の画像を重ね合わせて複合スクリーン画面を設定することを特徴とする携帯電話機における複合スクリーン画面設定方法としたものである。この構成により、この構成により、ユーザは複数の画面から前景画面と背景画面を選べるので、飽きがこないスクリーン画面とすることができるという効果を有する。
【００２８】
また請求項２記載の発明は、待受け中にスクリーンに表示する画面を選択することができる携帯電話機における複合スクリーン画面設定方法であって、スクリーン画面選択モードに設定するステップと、スクリーン画面選択モードにおいて複数の画面の中から前景画面と背景画面とが選択されるステップと、待受け中に、選択された前記前景画面と前記背景画面とを重ねて複合スクリーン画面として表示するステップと、を有し、前記複合スクリーン画面として表示するステップは、スクリーンの表示エリアを分割して、分割した表示エリアのうち少なくともいずれか二以上のエリアに任意の画像を選択して該エリア毎に複数の画像を重ね合わせて複合スクリーン画面を設定することを特徴とする携帯電話機における複合スクリーン画面設定方法としたものである。この構成により、ユーザは複数の画面から前景画面と背景画面を選べるので、飽きがこないスクリーン画面とすることができるという効果を有する。
【００２９】
また請求項３記載の発明は、待受け中にスクリーンに表示する画面を選択することができる携帯電話機において、スクリーンと、操作部と、制御部と、を有し、前記制御部は、前記操作部の操作により、スクリーン画面選択モードに設定され、複数の画面の中から前景画面と背景画面とが選択され、待受け中に前記スクリーンに、選択された前記前景画面と前記背景画面とを重ねて複合スクリーン画面として表示するものであって、前記背景画面の画像データを表示するに際して、画面に少なくとも遠景エリア、中景エリア、近景エリアのいずれか二以上のエリアを設けて、該エリア毎に任意の画像を選択して該エリア毎に複数の画像を重ね合わせて複合スクリーン画面を設定することを特徴とする携帯電話機としたものである。この構成により、ユーザは複数の画面から前景画面と背景画面を選べるので、飽きがこないスクリーン画面とすることができるという効果を有する。
【００３０】
また請求項４記載の発明は、待受け中にスクリーンに表示する画面を選択することができる携帯電話機において、スクリーンと、操作部と、制御部と、を有し、前記制御部は、前記操作部の操作により、スクリーン画面選択モードに設定され、複数の画面の中から前景画面と背景画面とが選択され、待受け中に前記スクリーンに、選択された前記前景画面と前記背景画面とを重ねて複合スクリーン画面として表示するものであって、前記スクリーンの表示エリアを分割して、分割した表示エリアのうち少なくともいずれか二以上のエリアに任意の画像を選択して該エリア毎に複数の画像を重ね合わせて複合スクリーン画面を設定することを特徴とする携帯電話機としたものである。この構成により、ユーザは複数の画面から前景画面と背景画面を選べるので、飽きがこないスクリーン画面とすることができるという効果を有する。
【図面の簡単な説明】
【図１】本発明の実施形態に係る携帯電話機の構成を示す正面図、
【図２】図１の携帯電話機を実現するための回路ブロックを示す図、
【図３】図１の携帯電話機の表示器において、待受け時に表示されるアイコン画面の例、
【図４】本発明の実施形態を説明するための携帯電話機の表示画面の遷移を示す図、
【図５】スクリーン画面選択モードに設定し、複数の画面の中から前景画面と背景画面を組合わせてスクリーン画面として表示できるようにするための動作を説明するためのフローチャートである。
【符号の説明】
１  アンテナ
２  着信／充電ランプ
３  受話器
４  液晶表示器
５  左ソフトキー
６  通話開始キー
７  テンキー
８  ワープキー
９  送話器
10  外部接続端子
11  ボイス／マナーキー
12  電源／終了／応答保留キー
13  右ソフトキー
14  ナビゲーションキー
15  イヤホンマイク端子
16  赤外線ポート
18  無線通信部
20  制御部
22  テンキー操作部
24  機能キー操作部
26  メモリ
28  赤外線入出力部
【図１】
0004208375.tif 000002
【図２】
0004208375.tif 000003
【図３】
0004208375.tif 000004
【図４】
0004208375.tif 000005
【図５】
0004208375.tif 000006